(57)【特許請求の範囲】
【請求項１】
少なくとも左右一組の側板、天板、底板を組み立ててなる組立式収納ボックスにおいて、
前記天板及び底板はそれぞれ、一方の側板の上下端部にヒンジ部材によって回動可能に連結され、
前記ヒンジ部材は、前記一方の側板の内面側に固定されるとともに、前記内面側に向けて開口する中空部を有し、且つ前記中空部の両側面にそれぞれ前記側板の略上下方向に沿うとともに、上下方向端部側に向けて外面側方向への傾斜部を有する案内溝が形成された固定側定着具と、前記天板及び底板の内面側に固定される可動側定着具と、前記固定側定着具と可動側定着具とを連結する小片部材であって、一方端側に前記固定側定着具の前記案内溝に係合し、前記可動側定着具を前記案内溝に沿って移動可能に連結する係合軸部を備えるとともに、他方端側に前記可動側定着具に係合し、前記可動側定着具を回動可能に連結する回動軸部を備えた連結片とからなり、
前記天板を前記一方の側板側に折り畳んだ状態から前記側板に固定する際、前記係合軸部を前記案内溝の下端側に配置した状態で、前記回動軸部を中心として前記天板を前記側板に対して垂直に開いた後、前記係合軸部を前記案内溝の上端側に移動して、前記天板の端面を前記側板の上端部に当接させ、前記側板と前記天板とを固定手段によって固定し、
前記底板を前記一方の側板側に折り畳んだ状態から前記側板に固定する際、前記係合軸部を前記案内溝の上端側に配置した状態で、前記回動軸部を中心として前記底板を前記側板に対して垂直に開いた後、前記係合軸部を前記案内溝の下端側に移動して、前記底板の端面を前記側板の下端部に当接させ、前記側板と前記底板とを固定手段によって固定したことを特徴とする組立式収納ボックス。
【請求項２】
前記固定手段は、前記側板と前記天板又は底板とが当接する部分において一方側の板材に固設され、他方側の板材に向けて突出するとともに、先端に軸部より大径の頭部が備えられた有頭シャフトと、他方側の板材に固設され、前記有頭シャフトに係合して板材同士の固定を図る定着具とから構成され、
前記定着具は、内部に中空部を有し、前記有頭シャフトが挿入可能な開口部が前記中空部に連通するように形成されたケースと、前記ケースの中空部内に前記有頭シャフトの軸方向と直交する軸を回転中心として回転操作可能に内設され、且つ前記有頭シャフトの頭部が挿入可能な切欠部が形成されるとともに、前記切欠部に連続して前記有頭シャフトの軸部が挿入可能な係合溝が回転方向に沿って形成され、前記係合溝に沿った周面の肉厚が前記切欠部から周方向に沿って漸次厚くなるように形成された引込固定部材とから構成されている請求項１記載の組立式収納ボックス。
【請求項３】
背面側に背板が設置され、前記背板と前記側板、天板、底板の全部又は一部とが前記固定手段によって固定されている請求項１、２いずれかに記載の組立式収納ボックス。
【発明の詳細な説明】
【技術分野】
【０００１】
本発明は、室内に設置される組立式の収納ボックスに関する。
【背景技術】
【０００２】
従来より、組立式収納ボックス５０として、図２２に示されるように、左右一組の側板５１、５１と、前記側板５１、５１の上端部に固定された天板５２と、前記側板５１、５１の下端部に固定された底板５３とによって構成された枠体の背面に背板５４が取り付けられたものが知られている。このような組立式収納ボックス５０の組立ては、一方の側板５１の上下端縁部にそれぞれ、天板５２及び底板５３の一方側端面をダボやねじ等で接合してコの字形に形成した後、これらの板材の背面側に予め形成された溝部５５に背板５４を挿入し、天板５２及び底板５３の他方側端面にもう一方の側板５１を同様にしてダボやねじ等で接合するという手順で行われていた。
【０００３】
このような従来の組立式収納ボックス５０では、組立作業に非常に手間がかかり組立てにかかる作業時間が長くなるとともに、板材同士をねじで接合するときなどに、板材を手で押さえる人と接合用のねじを締める人というように複数の作業員が作業に当たらなければならないという問題があった。
【０００４】
このような組立作業の手間を軽減するため、下記特許文献１においては、側板部と天板部又は底板部とを一体的に連接し、側板部と天板部又は底板部との境界部分に、直角に折り曲げ可能な屈曲部を形成したものが提案され、下記特許文献２においては、背面パネルの両側にヒンジにより側面パネルを取り付け、前記側面パネルを背面パネルに対して直交方向に開いたとき前方に開口した箱形体に形成されるようにし、前記背面パネル、側面パネルに連結金具を取り付けるとともに、天板、地板、固定棚に前記連結金具に嵌め込まれる取付金具を取り付け、前記連結金具に取付金具を嵌め込むことにより、前記背面パネル、側面パネルに、天板、地板、固定棚を固定するようにしたものが提案されている。
【先行技術文献】
【特許文献】
【０００５】
【特許文献１】特開２００３−１９９６４０号公報
【特許文献２】特開２０１４−２０４８０４号公報
【発明の概要】
【発明が解決しようとする課題】
【０００６】
しかしながら、上記特許文献１記載のものでは一部の板材同士を一体に連設することにより組立作業を簡略化しているが、他方の側板部との接合はダボやねじ等で行う必要があるため、依然として組立作業に時間がかかる問題があった。また、上記特許文献２に記載のものではダボやねじによる固定がないため組立作業が簡単になるが、背面パネルと側面パネルとがヒンジにより取り付けられるだけで固定されないため、組み立てられた収納ボックスが構造的に弱くなると考えられる。また、背面パネルとしては厚みの薄い板材が用いられるのが一般的であるため、側面パネルを背面パネルに対して直交方向に開いた状態では、背面パネルが撓んで対向する側面パネル同士が平行にならない場合がある。このため、側面パネルの安定性が悪く、天板や地板などを固定する際に連結金具に取付金具を嵌め込みにくく、板材を押さえる人と金具を嵌め込む人というように複数の作業員が必要になるおそれがある。
【０００７】
そこで本発明の主たる課題は、組立式収納ボックスの組立てに当たって、作業時間を短縮し、且つ作業に要する人員の数を削減できるようにするとともに、収納ボックスの構造強度を高めることにある。
【課題を解決するための手段】
【０００８】
上記課題を解決するために請求項１に係る本発明として、少なくとも左右一組の側板、天板、底板を組み立ててなる組立式収納ボックスにおいて、
前記天板及び底板はそれぞれ、一方の側板の上下端部にヒンジ部材によって回動可能に連結され、
前記ヒンジ部材は、前記一方の側板の内面側に固定されるとともに、前記内面側に向けて開口する中空部を有し、且つ前記中空部の両側面にそれぞれ前記側板の略上下方向に沿うとともに、上下方向端部側に向けて外面側方向への傾斜部を有する案内溝が形成された固定側定着具と、前記天板及び底板の内面側に固定される可動側定着具と、前記固定側定着具と可動側定着具とを連結する小片部材であって、一方端側に前記固定側定着具の前記案内溝に係合し、前記可動側定着具を前記案内溝に沿って移動可能に連結する係合軸部を備えるとともに、他方端側に前記可動側定着具に係合し、前記可動側定着具を回動可能に連結する回動軸部を備えた連結片とからなり、
前記天板を前記一方の側板側に折り畳んだ状態から前記側板に固定する際、前記係合軸部を前記案内溝の下端側に配置した状態で、前記回動軸部を中心として前記天板を前記側板に対して垂直に開いた後、前記係合軸部を前記案内溝の上端側に移動して、前記天板の端面を前記側板の上端部に当接させ、前記側板と前記天板とを固定手段によって固定し、
前記底板を前記一方の側板側に折り畳んだ状態から前記側板に固定する際、前記係合軸部を前記案内溝の上端側に配置した状態で、前記回動軸部を中心として前記底板を前記側板に対して垂直に開いた後、前記係合軸部を前記案内溝の下端側に移動して、前記底板の端面を前記側板の下端部に当接させ、前記側板と前記底板とを固定手段によって固定したことを特徴とする組立式収納ボックスが提供される。
【０００９】
上記請求項１記載の発明では、前記天板及び底板がそれぞれ、一方の側板の上下端部にヒンジ部材によって回動可能に連結されている。従って、組立作業時に、前記天板及び底板を一方の側板側に折り畳んだ状態から前記側板に固定する際、前記ヒンジ部材を中心として天板又は底板を回動して側板に対して垂直に開いた後、所定の手順で固定手段によって固定することができるため、組立てにかかる作業時間が短縮できるとともに、作業に要する人員の数が削減でき、原則として１人の作業員のみで作業を行うことができるようになる。また、比較的曲げ強度の高い側板と天板及び底板とをヒンジ部材によって連結した上で固定手段によって固定しているため、組立式収納ボックスの強度が高くなるとともに、組立作業中も板材の撓みが抑えられ、作業時間が短縮できるようになる。
【００１０】
請求項２に係る本発明として、前記固定手段は、前記側板と前記天板又は底板とが当接する部分において一方側の板材に固設され、他方側の板材に向けて突出するとともに、先端に軸部より大径の頭部が備えられた有頭シャフトと、他方側の板材に固設され、前記有頭シャフトに係合して板材同士の固定を図る定着具とから構成され、
前記定着具は、内部に中空部を有し、前記有頭シャフトが挿入可能な開口部が前記中空部に連通するように形成されたケースと、前記ケースの中空部内に前記有頭シャフトの軸方向と直交する軸を回転中心として回転操作可能に内設され、且つ前記有頭シャフトの頭部が挿入可能な切欠部が形成されるとともに、前記切欠部に連続して前記有頭シャフトの軸部が挿入可能な係合溝が回転方向に沿って形成され、前記係合溝に沿った周面の肉厚が前記切欠部から周方向に沿って漸次厚くなるように形成された引込固定部材とから構成されている請求項１記載の組立式収納ボックスが提供される。
【００１１】
上記請求項２記載の発明は、板材同士を固定する固定手段について具体的に規定している。前記固定手段は、一方側の板材に有頭シャフトを固設するとともに、他方側の板材に前記有頭シャフトに係合して板材同士の固定を図る定着具を固設することによって構成されている。前記定着具は、前記ケースの中空部内に前記有頭シャフトの軸方向と直交する軸を回転中心として回転操作可能に内設され、且つ前記有頭シャフトの頭部が挿入可能な切欠部が形成されるとともに、前記切欠部に連続して前記有頭シャフトの軸部が挿入可能な係合溝が回転方向に沿って形成され、前記係合溝に沿った周面の肉厚が前記切欠部から周方向に沿って漸次厚くなるように形成された引込固定部材を備えている。従って、前記引込固定部材を回転操作して、引込固定部材によって有頭シャフトを引き込むことによって、簡単に板材同士の固定を図ることができるようになる。
【００１２】
請求項３に係る本発明として、背面側に背板が設置され、前記背板と前記側板、天板、底板の全部又は一部とが前記固定手段によって固定されている請求項１、２いずれかに記載の組立式収納ボックスが提供される。
【００１３】
上記請求項３記載の発明では、背面側に背板を設置した場合において、前記背板と前記側板、天板、底板の全部又は一部とを前記固定手段によって固定するようにしている。
【発明の効果】
【００１４】
以上詳説のとおり本発明によれば、組立式収納ボックスの組立てに当たって、作業時間が短縮できるとともに、作業に要する人員の数が削減でき、収納ボックスの構造強度を高めることができるようになる。
【図面の簡単な説明】
【００１５】
【図１】本発明に係る組立式収納ボックス１の正面図である。
【図２】組立式収納ボックス１の斜視図である。
【図３】組立式収納ボックス１の分解斜視図である。
【図４】ヒンジ部材１０によって連結された側板２と天板４及び底板５との折り畳み状態を示す正面図である。
【図５】ヒンジ部材１０によって連結された側板２と天板４及び底板５との折り畳み状態を示す分解斜視図である。
【図６】ヒンジ部材１０を示す、(A)は上方からの斜視図、(B)は下方からの斜視図である。
【図７】ヒンジ部材１０を示す、(A)は正面図、(B)は上面図、(C)は側面図である。
【図８】(A)〜(C)は、天板４を側板２に固定する手順図である。
【図９】固定手段２０の側板３及び天板４への取付状態を示す斜視図である。
【図１０】(A)は定着具２２の斜視図、(B)は有頭シャフト２１と係合した定着具２２の斜視図である。
【図１１】(A)は定着具２２の縦断面図、(B)は底面図である。
【図１２】ケース２７を示す、(A)は上方からの斜視図、(B)下方からの斜視図である。
【図１３】ケース２７を示す、(A)は正面図、(B)は上面図、(C)は側面図、(D)は底面図である。
【図１４】ケース２７の縦断面図（図１３(A)のXIV-XIV線矢視図）である。
【図１５】ケース２７の縦断面図（図１３(C)のXV-XV線矢視図）である。
【図１６】引込固定部材２８を示す、(A)は上方からの斜視図、(B)は下方からの斜視図である。
【図１７】引込固定部材２８を示す、(A)は正面図、(B)は上面図、(C)は側面図、(D)は底面図である。
【図１８】引込固定部材２８の横断面図（図１７(C)のXVIII-XVIII線矢視図）である。
【図１９】引込固定部材２８の縦断面図（図１７(A)のXIX-XIX線矢視図）である。
【図２０】留め具２９を示す斜視図である。
【図２１】案内溝１５の他例を示すヒンジ部材１０の側面図である。
【図２２】従来の収納ボックス５０を示す分解斜視図である。
【発明を実施するための形態】
【００１６】
以下、本発明の実施の形態について図面を参照しながら詳述する。
【００１７】
本発明に係る組立式収納ボックス１は、図１〜図３に示されるように、少なくとも左右一組の側板２、３と、前記側板２、３の上端部に固定される天板４と、前記側板２、３の下端部に固定される底板５とを組み立ててなる矩形状の枠体を有している。前記側板２、３は長手方向が上下方向に配置され、前記天板４及び底板５は長手方向が上下方向と直交する方向に配置されている。組立式収納ボックス１は、図示例のように、前記枠体の背面側に背板６を固定して前面が開口する箱形体に形成するのが好ましい。また、前記天板４と底板５との間に１又は複数段の棚板を必要に応じて配置してもよい。
【００１８】
本組立式収納ボックス１では、前記天板４及び底板５の長手方向の両端面がそれぞれ、側板２、３の内面側の上下端部に固定されている。また、前記側板２、３の背面側の端面はそれぞれ、背板６の前面側の平面の外周部に固定されている。前記側板２、３、天板４及び底板５は、矩形状の板材からなり、表裏の平面のうち、組立式収納ボックス１を組み立てたときに内側となる面を内面、外側となる面を外面と定義している。
【００１９】
本組立式収納ボックス１では、図３〜図５に示されるように、前記天板４は、一方の側板２（図示例では向かって左側の側板２）の上端部にヒンジ部材１０によって回動可能に連結されている。また、前記底板５は、一方の側板２の下端部にヒンジ部材１０によって回動可能に連結されている。これにより、前記天板４及び底板５はそれぞれ、前記ヒンジ部材１０によって、側板２側に折り畳んで側板２とほぼ平行する状態（図４参照）と、側板２に対して垂直に開いた状態（図１参照）との間のおよそ９０°の範囲内で回動できるようになっている。前記天板４と側板２とを連結するヒンジ部材１０と、底板５と側板２とを連結するヒンジ部材１０とは同一のものが使用され、上下を逆にして取り付けられている。従って、以下特に断らない限り、天板４と側板２とを連結するヒンジ部材１０を例に挙げ、このヒンジ部材１０の配設方向を基準として、ヒンジ部材１０の上下方向を説明している。
【００２０】
前記ヒンジ部材１０は、詳細には図５〜図７に示されるように、一方の側板２の内面側に固定されるとともに、前記内面側に向けて開口する中空部１４を有し、且つ前記中空部１４の両側面にそれぞれ側板２の上下方向に沿うとともに上下方向端部側（上方側）に向けて外面側方向への傾斜部１５ａを有する案内溝１５が形成された固定側定着具１１と、天板４の内面側に固定される可動側定着具１２と、前記固定側定着具１１と可動側定着具１２とを連結する小片部材であって、一方端側に前記固定側定着具１１の前記案内溝１５に係合し、可動側定着具１２を前記案内溝１５に沿って移動可能に連結する係合軸部１６を備えるとともに、他方端側に可動側定着具１２に係合し、前記可動側定着具１２を回動可能に連結する回動軸部１７を備えた連結片１３とから主に構成されている。
【００２１】
前記固定側定着具１１は、特に図６及び図７に示されるように、側板２の内面側に開口する縦長の中空部１４が形成されるとともに、両側壁（側板２の幅方向両側に対応する面）に前記中空部１４に連通する前記案内溝１５、１５が形成された本体部１１ａと、前記本体部１１ａの前側端面から両側及び下側に延在するとともに、側板２へのビス止め用のビス孔１１ｃ、１１ｃ…が形成された固定プレート１１ｂとから構成されている。
【００２２】
前記固定側定着具１１は、図５に示されるように、側板２の内面側に開口するとともに、該固定側定着具１１の外形とほぼ同じ形状で形成された凹部２ａに嵌め込まれ、前記ビス孔１１ｃ…を通じて側板２にビス止めすることにより側板２に固設されている。前記固定側定着具１１は、側板２に固定した状態で、側板２の内面側の平面より外側に突出せず、側板２の内面とほぼ同一の平面内に納まるように配置されている。
【００２３】
前記可動側定着具１２は、特に図６及び図７に示されるように、天板４の内面側から端面側にかけて連続してＬ字状に開口するスリット部１２ｂが形成されるとともに、両側壁（天板４の幅方向両側に対応する面）に前記スリット部１２ｂに連通する開孔１２ｃ、１２ｃが形成された本体部１２ａと、前記本体部１２ａの前側端面から両側及び下側に延在するとともに、天板４へのビス止め用のビス孔１２ｄ、１２ｄ…が形成された固定プレート１２ｅとから構成されている。
【００２４】
前記可動側定着具１２は、図５に示されるように、天板４の内面側から側板２との当接側端面にかけて連続して開口するとともに、該可動側定着具１２の外形とほぼ同じ形状に形成された凹部４ａに嵌め込まれ、前記ビス孔１２ｄ…を通じて天板４にビス止めすることにより固設されている。天板４に固設した状態で、可動側定着具１２のスリット部１２ｂは、天板４の内面から長手方向端面にかけて連続してＬ字状に開口するようになる。また、可動側定着具１２は、天板４に固定した状態で、天板４の内面側の平面及び長手方向端面より外側に突出せず、天板４の内面及び端面とほぼ同一の平面内に納まるように配置されている。
【００２５】
前記連結片１３は、平板状に形成された横長の小片部材であり、正面視で（図７(A)）、部材長手方向の一方側端縁が直線状に形成され、他方側端縁が半円状に形成されている。また、一方端側には前記係合軸部１６を挿通する開孔１３ａが形成され、前記他方端側には前記回動軸部１７を挿通する開孔１３ｂが形成されている。前記連結片１３は、一方端側を前記固定側定着具１１の中空部１４内に挿入した状態で、前記案内溝１５を通じて前記開孔１３ａに係合軸部１６を挿通することにより、前記固定側定着具１１に連結されるとともに、他方端側を前記可動側定着具１２のスリット部１２ｂ内に挿入した状態で、前記開孔１２ｃを通じて前記開孔１３ｂに回動軸部１７を挿通することにより、前記可動側定着具１２に連結されている。前記連結片１３は、前記係合軸部１６が案内溝１５に沿って移動するのに伴い、前記可動側定着具１２及び天板４と一体となって前記中空部１４内を移動可能に設けられている。
【００２６】
前記固定側定着具１１に形成される案内溝１５について、側板２と天板４とを連結するヒンジ部材１０を例に挙げ具体的に説明する。前記案内溝１５は、図７(A)に示されるように、上方に向けて側板２の外面側方向に直線的に傾斜する傾斜部１５ａと、この傾斜部１５ａの上端から連続し、上方に向けて直線的に延びる鉛直部１５ｂとを備えている。また、後段で詳述する固定手段２０によって側板２と天板４とを引き込んで固定する際の余裕代として、前記鉛直部１５ｂの上端から連続して側板２の外面側方向に直交する引込み余裕代１５ｃを設けておくのが好ましい。
【００２７】
前記案内溝１５の傾斜部１５ａの下端は、図８(A)、(B)に示されるように、前記係合軸部１６をこの傾斜部１５ａの下端に配置した状態で、側板２と天板４との間に、前記回動軸１７を中心に回動して天板４を折り畳んだ状態（図８(A)）と開いた状態（図８(B)）とに切り替えたとき、天板４が側板２に当たらずに回動できる程度の隙間が形成されるような位置に設けられている。また、傾斜部１５ａの上端は、天板４を開いた状態のまま係合軸部１６を傾斜部１５ａの上端に配置した状態で、天板４の端面が側板２の内面に当接するような位置に設けられている。更に、鉛直部１５ｂの上端は、係合軸部１６を鉛直部１５ｂの上端に配置した状態で（図８(C)）、天板２の外面側の平面が側板２の上側端面とほぼ一致するような位置に設けられている。
【００２８】
前記ヒンジ部材１０によって連結された側板２と天板４及び底板５とは、収納ボックス１の組立前においては、図４及び図５に示されるように、前記天板４及び底板５がそれぞれ側板２側に折り畳まれている。このため、運搬時や保管時等において嵩張らずにコンパクトに取り扱うことが可能となる。
【００２９】
前記ヒンジ部材１０は、図示例では、天板４及び底板５にそれぞれ１つずつ設けられているが、天板４及び底板５の幅方向に離間して複数個ずつ配置しても構わない。
【００３０】
次に、図８に基づいて組立式収納ボックス１の組立手順について説明する。予め、前記天板４及び底板５はそれぞれ、一方の側板２の上下端部に前記ヒンジ部材１０によって回動可能に連結されている。前述の通り、組立て前において前記天板４及び底板５はそれぞれ側板２側に折り畳まれている（図８(A)及び図４）。従って、これら天板４及び底板５をそれぞれ側板２に固定する作業を行う。先ずはじめに底板５を側板２に固定する。その手順としては、前記係合軸部１６を案内溝１５の上端側に配置した状態（図８(A)の上下を逆にした状態）で、前記底板５を回動軸部１７を中心として側板２に対して垂直に開いた状態（図８(B)の上下を逆にした状態）とした後、係合軸部１６を案内溝１５の下端側に移動して、底板５の端面を側板２の内面の下端部に当接させ、側板２と底板５とを固定手段によって固定する（図８(C)の上下を逆にした状態）。次に、天板４を側板２に固定する。その手順としては、前記係合軸部１６を案内溝１５の下端側に配置した状態で（図８(A)）、前記天板４を回動軸部１７を中心として側板２に対して垂直に開いた後（図８(B)）、係合軸部１６を案内溝１５の上端側に移動して、天板４の端面を側板２の内面の上端部に当接させ、側板２と天板４とを固定手段によって固定する（図８(C)）。
【００３１】
そして、前記天板４及び底板５の端面にそれぞれ、もう一方の側板３の内面の上下端部が当接するように配置し、固定手段によって側板３と天板４及び底板５とをそれぞれ固定する。これにより、左右一組の側板２、３と天板４と底板５とからなる枠体が組み立てられる。
【００３２】
しかる後、前記枠体の背面側に背板６を設置し、これら背板６と枠体とを固定手段によって固定することにより、組立式収納ボックス１の組立てが完了する。
【００３３】
前記固定手段としては、ねじやダボ、Ｌ字状金具など公知の固定手段を広く用いることが可能であるが、作業時間の短縮及び作業に要する人員の数の削減などの観点から、以下に説明する固定手段２０を用いるのが望ましい。
【００３４】
本組立式収納ボックス１に好適な前記固定手段２０について詳細に説明する。本組立式収納ボックス１では、図３に示されるように、固定手段２０によって結合される２枚の板材は、一方側が平面で、他方側が端面となる組み合わせによって構成されている。前記固定手段２０は、接続する板材同士の平面と端面とを結合するのに好適な構造となっている。前記固定手段２０の構造について、図９に示されるように、側板３と天板４との当接部分に設けられる固定手段２０を例に挙げ、以下詳細に説明する。
【００３５】
前記固定手段２０は、図９〜図１１に示されるように、側板３（当接部分が平面側の板材）に固設され、天板４（当接部分が端面側の板材）に向けて突出する有頭シャフト２１と、前記天板４（当接部分が端面側の板材）に固設され、前記有頭シャフト２１に係合して板材同士の固定を図る定着具２２とから構成されている。
【００３６】
前記有頭シャフト２１は、金属又は樹脂からなり、側板３から突出状態で配設される軸部２３と、前記軸部２３の突出側端部に備えられ、前記軸部２３より大径に形成された頭部２４と、前記軸部２３の固定側端部に備えられ、側板３に形成された凹部３ｂに螺入して該有頭シャフト２１を側板３に固設するネジ部２５とから構成されている。また、前記ネジ部２５の軸部２３との境界部分には、側板３に設けられた凹部３ｂの開孔径より大径の鍔部２６が形成され、ネジ部２５を凹部３ｂに螺入して有頭シャフト２１を側板３に固設した状態で、軸部２３及び頭部２４の側板３からの突出長がほぼ一定となるように構成されている。更に、前記頭部２４の端面には、前記ネジ部２５を側板３の凹部３ｂに螺入する際の図示しない工具穴が形成されている。
【００３７】
前記定着具２２は、中空部３０を有するケース２７と、前記ケース２７の中空部３０内に内設される引込固定部材２８と、前記引込固定部材２８をケース２７内に保持する留め具２９とから構成されている。
【００３８】
前記ケース２７は、詳細には図１２〜図１５に示されるように、金属又は樹脂からなる略円筒状の部材であり、中空部３０を有するとともに、前記有頭シャフト２１が挿入可能な開口部３１が前記中空部３０に連通するように、上面から周面にかけて連続してＬ字状に形成されている。前記開口部３１をＬ字状に形成することにより、前記有頭シャフト２１をケース２７の上面側から周面側にかけての広い角度から前記中空部３０内に挿入できるようになっている。
【００３９】
図９に示されるように、天板４には、天板４の外面側であって、側板３との当接側端部に、前記ケース２７を挿入するための上面が開放した凹部４ｂが形成されるとともに、天板４の側板３との当接側端面には、前記凹部４ｂに連通するスリット４ｃが形成されている。また、前記凹部４ｂの底面には、天板４の内面側に開放する工具挿入用の開口４ｄが設けられている。前記定着具２２は、前記ケース２７の周面に形成された開口部３１を前記スリット４ｃに臨ませるとともに、前記ケース２７の上面に形成された開口部３１を凹部４ｂの開放した上面に臨ませるようにして、前記凹部４ｂ内に配置される。
【００４０】
前記中空部３０は、前記ケース２７の軸方向と平行する方向に軸方向を有する略円柱状に形成された空間であり、下端が開放している。前記中空部３０は、図１３(D)及び図１４に示されるように、略円筒状のケース２７の軸芯に対して、ケース２７の周面に形成された開口部３１と反対側方向に偏心した位置に設けられている。これにより、前記周面の開口部３１が形成された側のケース２７の肉厚が大きくなり、有頭シャフト２１を引き込んで固定した際のケース２７の強度が確保できるようになる。
【００４１】
前記ケース２７の外周面には、上面側に向けて外方側に突出するクサビ状断面を有する固定用段部３２、３２…が、周方向に沿うとともに軸方向に間隔をあけて複数段に亘って設けられている。これにより、天板４の前記凹部４ｂに定着具２２を打ち込んだときに、前記固定用段部３２…が凹部４ｂの内面の木材にくい込んで該ケース２７を天板４に強固に固定できるようになる。
【００４２】
また、図１０(B)に示されるように、ケース２７の周面に形成された開口部３１の周縁には、前記有頭シャフト２１の鍔部２６が係止可能なＵ字状の係止用段差部３３が形成されている。この係止用段差部３３は、前記定着具２２が有頭シャフト２１と係合した際、有頭シャフト２１の鍔部２６が係止する部分であり、前記有頭シャフト２１を引き込んで固定する際の引込力が有頭シャフト２１のネジ部２５に作用しなくなるため、有頭シャフト２１が側板３から脱落するのを防止できるようにしたものである。
【００４３】
前記引込固定部材２８は、詳細には図１６〜図１９に示されるように、金属又は樹脂からなる略円筒状に形成された部材であり、中空部３４を有するとともに、前記ケース２７の中空部３０内に前記有頭シャフト２１の軸方向と直交する軸を回転中心として回転操作可能に内設され、且つ有頭シャフト２１の頭部２４が挿入可能な切欠部３５が前記中空部３４に連通するように、上面から周面にかけて連続するＬ字状に形成されている。また、前記引込固定部材２８の下面には、該引込固定部材２８を回転操作する工具Ｔを挿入するための工具穴３７が設けられている。前記引込固定部材２８は、図９及び図１０(A)に示されるように、引込固定の解除時に、前記ケース２７の中空部３０内において、前記切欠部３５が前記ケース２７の開口部３１に臨むように内設されるとともに、図１１に示されるように、前記工具穴３７が前記ケース２７に設けられた中空部３０の下端側開口から臨むように内設されている。
【００４４】
前記引込固定部材２８は、該引込固定部材２８の周面に形成された切欠部３５に連続して、前記有頭シャフト２１の軸部２３が挿入可能な係合溝３６が回転方向に沿って形成されている。また、前記係合溝３６に沿った周面の肉厚は、前記切欠部３５から周方向に沿って漸次厚くなるように形成されている。つまり、図１８に示されるように、切欠部３５近傍の周面の肉厚ｔ１（周面の半径方向の厚み）より、切欠部３５から回転方向に離間した周面の肉厚ｔ２の方が大きくなるように形成されている。従って、前記有頭シャフト２１を係合溝３６に係合させ引込固定部材２８を回転操作することにより、係合溝３６の内面が有頭シャフト２１の頭部２４に係合し、徐々に頭部を引き込むように作用する。このため、定着具２２と有頭シャフト２１とが強固に固定できるようになる。
【００４５】
前記係合溝３６の溝幅は、前記有頭シャフト２１の軸部２３より若干大きな寸法で形成され、且つ前記有頭シャフト２１の頭部２４の直径より小さな寸法で形成されている。これにより、有頭シャフト２１の軸部２３を係合溝３６に係合して引込固定部材２８を回転操作すると、係合溝３６の内側に有頭シャフト２１の頭部２４が係止するようになる。また、前記係合溝３６は、引込固定部材２８の周方向に対して、有頭シャフト２１の軸部２３を切欠部３５の中心部に配置した状態から引込固定部材２８をほぼ１８０°回転できる範囲に形成されている。
【００４６】
前記留め具２９は、図２０に示されるように、前記引込固定部材２８をケース２７の中空部３０に内設した状態で、前記中空部３０の下端側の開口から引込固定部材２８を支持するリング状の支持部２９ａが備えられるとともに、前記支持部２９ａの両側からそれぞれ起立して、先端の内側に前記ケース２７の両側に係止するツメが形成された係止部２９ｂが備えられている。
【００４７】
前記定着具２２を組み立てるには、ケース２７の下端の開口部から中空部３０内に引込固定部材２８を挿入し、その外側から留め具２９を取り付けることにより行う。この定着具２２を天板４に固設するには、凹部４ｂにハンマなどによって打ち込むことにより挿入する。また、組立式収納ボックス１の組立て後、図１１に示されるように、天板４の内面側に設けられた工具Ｔを挿入するための開口４ｄに、穴隠し用のキャップ３８を取り付けるのが好ましい。
【００４８】
前記固定手段２０によって天板４と側板３とを固定するには、図１１に示されるように、引込固定部材２８の切欠部３５をケース２７の開口部３１に臨ませた条件の下で、天板４の端面を側板３の上端部に当接させることにより、定着具２２の内部に有頭シャフト２１を挿入した後、前記開口４ｄを通じて工具Ｔを挿入して引込固定部材２８を回動操作することにより、有頭シャフト２１の軸部２３を係合溝３６に係合させ、有頭シャフト２１を引き込むことによって板材同士の固定を図るようにする。
【００４９】
図３及び図５に示されるように、前記固定手段２０は、前記引込固定部材２８による引込み力が板材の幅方向に均等に伝わるように、側板２、３、天板４及び底板５の幅方向中央部に設けるのが好ましいが、天板４及び底板５と一方側の側板２との接続部分では、これらの板材同士を連結するヒンジ部材１０が設けられるため、組立式収納ボックス１の前面側又は背面側に偏倚した位置に設けるようにしてもよい。また、図示例では、前記固定手段２０は、側板２、３、天板４及び底板５の接続部分にそれぞれ１つずつ配置しているが、板材の幅方向に離間して複数個ずつ配置するようにしてもよい。
【００５０】
前記引込固定部材２８を回転操作する際に、作業員が組立式収納ボックス１の内側から工具を挿入して操作できるように、各板材の外面側に前記定着具２２を挿入するための凹部を形成し、各板材の外面側から前記凹部に挿入するのが好ましい。これにより、組立式収納ボックス１の内側のみからの操作で済むため、作業がより一層しやすくなる。
【００５１】
〔他の形態例〕
(1)上記形態例では、前記固定側定着具１１に形成される案内溝１５に関して、傾斜部１５ａと、鉛直部１５ｂと、引込み余裕代１５ｃとからなる溝構造とした例を示したが、図２１に示されるように、前記案内溝１５は全長に亘り傾斜部１５ａのみで構成した溝構造としてもよい。この場合、連結片１３の係合軸部１６については、図７に示されるような断面円形の係合軸部とすることでも良いし、図２１に示されるような溝形状に合わせた断面平行四辺形の係合軸部１６としてもよい。
【００５２】
(2)上記形態例では、前記固定手段２０として、平面と端面とが当接する２枚の板材のうち、平面側に有頭シャフト２１を固設し、端面側に定着具２２を固設していたが、これとは逆に、端面側に有頭シャフト２１を固設し、平面側に定着具２２を固設するようにしてもよい。
【００５３】
(3)図３に示される例では、前記背板６を固定する固定手段２０を側板２、３にのみ設けていたが、天板４及び底板５のみに設けてもよいし、側板２、３、天板４及び底板５に設けてもよい。
【符号の説明】
【００５４】
１…組立式収納ボックス、２・３…側板、４…天板、５…底板、６…背板、１０…ヒンジ部材、１１…固定側定着具、１２…可動側定着具、１３…連結片、１４…中空部、１５…案内溝、１６…係合軸部、１７…回動軸部、２０…固定手段、２１…有頭シャフト、２２…定着具、２３…軸部、２４…頭部、２７…ケース、２８…引込固定部材、２９…留め具、３０…空間部、３１…開口部、３４…中空部、３５…切欠部、３６…係合溝
【図１】
0006527766.tif 000002
【図２】
0006527766.tif 000003
【図３】
0006527766.tif 000004
【図４】
0006527766.tif 000005
【図５】
0006527766.tif 000006
【図６】
0006527766.tif 000007
【図７】
0006527766.tif 000008
【図８】
0006527766.tif 000009
【図９】
0006527766.tif 000010
【図１０】
0006527766.tif 000011
【図１１】
0006527766.tif 000012
【図１２】
0006527766.tif 000013
【図１３】
0006527766.tif 000014
【図１４】
0006527766.tif 000015
【図１５】
0006527766.tif 000016
【図１６】
0006527766.tif 000017
【図１７】
0006527766.tif 000018
【図１８】
0006527766.tif 000019
【図１９】
0006527766.tif 000020
【図２０】
0006527766.tif 000021
【図２１】
0006527766.tif 000022
【図２２】
0006527766.tif 000023